(57)【要約】【課題】ワン切りやダイレクトメールなどの着信時における着信通知音の鳴動による不快を解消する手段を提供する。【解決手段】着信が発生すると、制御部１１は、コール数をカウントするカウンタ部１５を始動させるとともに、メモリ部１２にあらかじめ設定したコール回数（ｎ）の条件を読み出し、制御部１１においてメモリ部１２から読み出した設定回数（ｎ）とカウンタ部１５のカウント数を比較する。制御部１１は、カウント数がｎ回未満の場合には着信音やバイブレーションの鳴動などの着信通知動作を実行せず、カウンタ数がｎ回以上となったときに着信通知動作を実行させる。これにより、着信があってもコール回数がｎ回となるまでは着信音やバイブレーションの鳴動が開始されないので、ワン切りやダイレクトメール等の迷惑電話あるいはメール着信時に着信音が発生しないようにすることができる。【選択図】        図１
2005006087.tif 000002
【特許請求の範囲】
【請求項１】
着信コールに対して着信音またはバイブレーションを鳴動させる着信報知制御方法において、前記着信コールが所定回数又は所定時間経過した後に前記着信音またはバイブレーションの鳴動を開始することを特徴とする電話機の着信報知制御方法。
【請求項２】
発信側の電話番号を電話番号毎または複数の電話番号のグループに区分し、特定の電話番号または特定の電話番号のグループに対してのみ請求項１に記載の着信報知制御方法を適用したことを特徴とする電話機の着信報知制御方法。
【請求項３】
前記電話番号のグループは、前記電話機内のメモリに登録されている電話番号のグループと、登録されていない電話番号のグループに区分され、前記特定の電話番号のグループは前記電話機内のメモリに登録されていない電話番号のグループからなることを特徴とする請求項２に記載の電話機の着信報知制御方法。
【請求項４】
前記着信音またはバイブレーションの鳴動が開始されてから前記着信コールが所定回数又は所定時間経過した後に前記着信音またはバイブレーションの鳴動を停止することを特徴とする請求項１〜３のいずれかに記載の電話機の着信報知制御方法。
【請求項５】
前記着信音またはバイブレーションの鳴動が停止されてから前記着信コールが所定回数又は所定時間経過した後に前記着信を切断することを特徴とする請求項４に記載の電話機の着信報知制御方法。
【請求項６】
発信側の電話番号を前記区分された電話番号または電話番号のグループの何れに属するか判定した後、該発信側の電話番号からの着信回数を判定し、着信回数に応じて、前記着信音またはバイブレーションの鳴動を制御することを特徴とする請求項４または５に記載の電話機の着信報知制御方法。
【請求項７】
着信コールに対して着信音またはバイブレーションを鳴動させる着信報知制御手段を備えた電話機において、
前記着信報知制御手段は、前記着信コール回数をカウントするカウンタ又は着信コール時間を計測するタイマを備えており、前記カウンタのカウント値又は前記タイマの計測値が所定の値を経過した後に前記着信音またはバイブレーションの鳴動を開始させることを特徴とする電話機。
【請求項８】
発信側の電話番号を記憶するメモリを備えており、前記着信報知制御手段は、前記メモリに記憶されていない電話番号に対してのみ請求項７に記載の着信報知制御を行うことを特徴とする電話機。
【請求項９】
前記着信報知制御手段は、前記着信音またはバイブレーションの鳴動開始後、前記カウンタのカウント値又は前記タイマの計測値が所定の値を経過した後に前記着信音またはバイブレーションの鳴動を停止することを特徴とする請求項７または８に記載の電話機。
【請求項１０】
前記着信報知制御手段は、前記着信音またはバイブレーションの鳴動停止後、前記カウンタのカウント値又は前記タイマの計数値が所定の値を経過した後に前記着信を切断することを特徴とする請求項９に記載の電話機。
【請求項１１】
前記着信報知制御手段は、発信先電話番号判定手段と着信回数判定手段を備えており、着信発生時に、前記発信先電話番号判定手段および前記着信回数判定手段における判定結果に基づいて、前記着信音またはバイブレーションの鳴動を制御することを特徴とする請求項９または１０に記載の電話機。
【請求項１２】
前記電話機は携帯型の無線電話機であることを特徴とする請求項７〜１１のいずれかに記載の電話機。
【発明の詳細な説明】
【０００１】
【発明の属する技術分野】
本発明は、携帯電話などの通信端末における着信報知音制御方法および装置に関する。
【０００２】
【従来の技術】
携帯電話などの通信端末は、着信時に音や振動などを用いることにより利用者に着信状態を通知するが、着信は着信側の状況に関係なく開始するため、例えば、車内で携帯電話が突然鳴動したり、あるいは電話の使用者が不在時などには着信音やバイブレーションの鳴動が続き、周りの人間に迷惑をかけることがある。
【０００３】
このような問題点を解消するために、着信コールに対する報知音等を制御する方法が種々提案されている。例えば、特許文献１または２では、着信時に回線を通じて間欠的に受信する呼出信号の受信回数を計数し、受信回数に対応させて報知音の音量を制御する手段を設けることにより、鳴動開始時における着信音量を小さく設定している。特許文献３では、予め設定した鳴動回数で着信音の鳴動を停止することにより、着信音が鳴動し続けることによる周囲への迷惑を解消する技術が記載されている。
【０００４】
また、別の目的で携帯電話の着信報知用バイブレータの振動パターンに特徴を持たせる方法も提案されている。特許文献４では、着信時におけるバイブレータの振動動作の時間経過や振動回数を使用者が適宜設定し、例えば振動レベルを徐々に大きくあるいは小さくすることによって、着信があったことを容易に確認できるようにしており、特許文献５では、着信報知用のバイブレータに対して、互いに異なる複数種類の振動パターンを着信信号に含まれる電話番号に対応させて設定しておき、発信人の特定を可能にしている。
【０００５】
【特許文献１】
特開平１−２４５４６号公報
【特許文献２】
特開平５−１５３２０１号公報
【特許文献３】
特開平８−３０７４８６号公報
【特許文献４】
特開２００２−３０５５６４号公報
【特許文献５】
特開平１１−１８７０８７号公報
【０００６】
【発明が解決しようとする課題】
電話機に対する着信は、着信者側の状況に関係なく開始するため、ワン切り行為あるいは間違い電話等により着信音が鳴ってオフフックする前に電話が切れてしまう迷惑電話あるいはダイレクトメールの着信音のために仕事あるいは睡眠などが妨げられて不快な思いをすることがあるが、従来の着信音制御方法ではこのような問題に対しては必ずしも対応できない。
【０００７】
本発明の目的は、上記迷惑電話・メール（ワン切りやダイレクトメールなど）等の着信時における着信通知（着信音やバイブレーションなど）の鳴動に対する上記問題点を解消可能な着信音制御手段を提供することにある。
【０００８】
本発明の目的は、上記目的に加えて、着信時に可能な他の着信音制御も行うことにある。
【０００９】
【課題を解決するための手段】
本発明の着信コールに対して着信音またはバイブレーションを鳴動させる着信報知制御方法は、着信コールが所定回数又は所定時間経過した後に前記着信音またはバイブレーションの鳴動を開始することを特徴とする。
【００１０】
この着信報知制御は、特定の電話番号に対してのみ適用することも可能であり、また、前記着信音またはバイブレーションの鳴動が開始されてから前記着信コールが所定回数又は所定時間経過した後に前記着信音またはバイブレーションの鳴動を停止し、さらに前記着信音またはバイブレーションの鳴動が停止されてから前記着信コールが所定回数又は所定時間経過した後に前記着信を切断する制御を行わせることも可能である。
【００１１】
また、本発明の電話機は、着信コールに対して着信音またはバイブレーションを鳴動させる着信報知制御手段を備え、該着信報知制御手段は、前記着信コール回数をカウントするカウンタ又は着信コール時間を計数するタイマと、前記カウンタのカウント値又は前記タイマの計数値が所定の値を経過した後に前記着信音またはバイブレーションの鳴動開始を制御する手段有していることを特徴とする。
【００１２】
【発明の実施の形態】
図１は、本発明が適用される携帯電話機の一例を示すブロック図である。
【００１３】
図１において、制御部（１１）は、携帯電話機全体の制御を行うブロックであり、本発明における着信コール回数制御全体も制御する。メモリ部（１２）は、制御部（１１）における制御のためのプログラムを保持し、また各種設定条件を保持する。アンテナ部（１３）及び無線部（１４）は、制御部（１１）による制御に従って無線信号の送受信及び通話全般を制御する。カウンタ部（１５）は、着信コール数のカウントを行う。音源部（１６）は、着信音の発生を行う。スピーカ部（１７）は、ユーザに対し着信音を出力する。バイブレーション部（１８）は、ユーザに対し振動を出力する。
【００１４】
図２は、本発明の第１の実施形態を示すフローチャートである。以下、図１〜図２を参照して、第１の実施形態の動作について説明する。
【００１５】
着信が発生すると、制御部（１１）は、コール数をカウントするカウンタ部（１５）を始動させるとともに、メモリ部（１２）にあらかじめ設定したコール回数（ｎ回）の条件を読み出し、制御部（１１）においてメモリ部（１２）から読み出した設定回数（ｎ回）とカウンタ部（１５）のカウント数の比較を行う。
【００１６】
制御部（１１）は、カウント数がｎ回未満の場合には着信音やバイブレーションの鳴動などの着信通知動作を実行させず、カウンタ数がｎ回以上となったときに着信通知動作を実行させる。これにより、着信があってもコール回数がｎ回となるまでは着信音やバイブレーションの鳴動が開始されないので、間違い電話、ワン切りやダイレクトメールなどの迷惑電話あるいはメールなどの着信音が睡眠などを妨げるという問題に対処することができる。
【００１７】
この場合、メモリ部（１２）に設定するコール回数ｎとしては、例えば２〜３回程度が適当である。余り大きな値に設定すると、本来必要とする着信に対する通話の開始が遅れる虞がある。
【００１８】
図３は、本発明の第２の実施形態を示すフローチャートである。本実施形態では、第１の実施形態において、着信音またはバイブレーションの鳴動が開始されてから前記着信コールが所定回数又は所定時間経過した後に前記着信音またはバイブレーションの鳴動を停止し、さらに前記着信音またはバイブレーションの鳴動が停止されてから前記着信コールが所定回数又は所定時間経過した後に前記着信を切断する制御を行う構成としている。
【００１９】
以下、図１と図３を参照して、第２の実施形態の動作について説明する。なお、本実施形態では、メモリ部（１２）に予め設定したコール回数としてｎ，ｍ，ｌ（ｎ＜ｍ＜ｌ）が記憶されている。
【００２０】
着信が発生すると、制御部（１１）は、コール数をカウントするカウンタ部（１５）を始動させるとともに、メモリ部（１２）にあらかじめ設定した第１のコール回数（ｎ）の読み出しを行って、カウンタ部（１５）から出力されたカウント数との比較を行い、カウント数がｎ回未満の場合には着信音やバイブレーションの鳴動などの着信通知動作を実行させず、カウンタ数がｎ回以上となったときに着信通知動作を実行させる。
【００２１】
次に、制御部（１１）は、メモリ部（１２）に設定された第２のコール回数（ｍ）の読み出しを行って、カウンタ部（１５）から出力されたカウント数との比較を行い、カウント数がｍ回未満の場合には着信音やバイブレーションの鳴動を継続させ、カウンタ数がｍ回以上となったときに着信音やバイブレーションの鳴動を停止させる。
【００２２】
次に、制御部（１１）は、メモリ部（１２）に設定された第３のコール回数（ｌ）の読み出しを行って、カウンタ部（１５）から出力されたカウント数との比較を行い、カウンタ数がｌ回以上となった時点で着信を自動切断する。
【００２３】
図４は、本発明の第３の実施形態を示すフローチャートである。本実施形態では、着信が発生してコール回数のカウンタが始動すると同時に、制御部がメモリ部にあらかじめ設定した発信先電話番号の条件を読み出し、電話番号条件毎にコール回数条件等の判断に従って、その条件に対応する動作を実行する構成となっている。
【００２４】
例えば発信先電話番号の条件として、自電話機内の電話番号帳に登録されているか否かをその判定基準とすることができる。以下、図１と図４を参照して、第３の実施形態の動作について説明する。
【００２５】
着信が発生すると、制御部（１１）は、コール数をカウントするカウンタ部（１５）を始動させると同時に、自電話機内の電話番号帳を参照することにより発信側の電話番号が登録されているか否かを判定し、自電話機内の電話番号帳に登録されていない電話番号（電話番号条件２）の場合には、図３のフローを実行する。
【００２６】
一方、自電話機内の電話番号帳に登録されている電話番号（電話番号条件１）の場合には、着信と同時に着信音やバイブレーションの鳴動を開始するように制御する。着信音やバイブレーションの鳴動を開始した後の動作は、図３と同様である。
【００２７】
通常、迷惑電話・メール（ワン切りやダイレクトメールなど）あるいは相手が不明の電話番号が自電話機内の電話帳に登録されることはないから、本実施形態では、電話機内の電話帳に登録されている電話番号からの着信の場合には、着信と同時に着信音やバイブレーションの鳴動を行うことにより着信に対して応答遅延を生じないようにしている。
【００２８】
なお、図４では、発信側の電話番号が自電話機内の電話番号帳に登録されているか否かを、その判定基準としたが、発信先電話番号の判定条件は、本実施例に限られるものではなく、自電話機内の電話帳に登録されている電話番号に対して、それぞれ個別に、あるいはある一定のグループ毎に発信先電話番号の判定条件を設定し、それぞれに対して、例えば異なるコール回数ｎ，ｍ，ｌを設定して着信音やバイブレーションの鳴動制御を行わせることもできる。
【００２９】
図５は、その場合のメモリ部（１２）の記憶態様の一例を示しており、コール回数（２１）と、それに対応する制御内容（２２）、及び電話帳データ（電話番号、電話番号グループ等）（２３）とがそれぞれ対応して記憶されている。
【００３０】
ここで、これら各種設定条件を組み合わせる事により、様々な着信コール回数制御条件（２４）を作成することができる。具体的には、『電話帳登録されていない電話番号からの着信時は、コール数２回以降から着信音を鳴音させ、コール数５回以降は着信音を停止させる。（不在時の周囲に迷惑な着信音防止対応）』や『固定電話の電話番号からの着信時は、コール数３回までは着信音やバイブレーションを鳴動させず、それ以降に着信音などの着信通知動作を開始する。（ワン切りなどの迷惑電話対応）』などが作成可能である。
【００３１】
図６は、本発明の第４の実施形態を示すフローチャートである。本実施形態では、発信先電話番号の条件判定の後に、着信回数の判定を追加している。ここで、着信回数はあらかじめ設定した時間内の回数であり、最初の着信から設定時間を超過した場合や着信に応答して通話した場合には、着信回数はリセットされる。
【００３２】
本実施形態では、同一の電話番号から繰り返し着信を受けた際に、その着信回数に応じて対応を変更することが可能であり、例えば、着信回数が増えるに従い着信コール回数を減らすなどの効果が得られる。以下、図１と図６を参照して、第４の実施形態の動作について説明する。
【００３３】
着信が発生すると、制御部（１１）は、コール数をカウントするカウンタ部（１５）を始動させると同時に、発信側の電話番号が自電話機内の電話番号帳に登録されているか否かを判定し、さらに、当該電話番号からの着信回数を判定する。
【００３４】
発信側の電話番号が自電話機内の電話番号帳に登録されており、かつ当該電話番号からの着信回数がｋ回よりも少ない（条件１）の場合には、この条件１に対して設定されたカウント値（ｎ，ｍ，ｌ）に従って着信音やバイブレーションの鳴動及び着信の切断が制御される。
【００３５】
同様に、発信側の電話番号が自電話機内の電話番号帳に登録されており、かつ当該電話番号からの着信回数がｋ回以上（条件２）の場合、発信側の電話番号が自電話機内の電話番号帳に登録されておらず、かつ当該電話番号からの着信回数がｋ回よりも少ない（条件３）の場合、および発信側の電話番号が自電話機内の電話番号帳に登録されておらず、かつ当該電話番号からの着信回数がｋ回以上（条件４）の場合にも、それぞれ条件２〜４に対して設定されたカウント値（ｎ，ｍ，ｌ）に従って着信音やバイブレーションの鳴動及び着信の切断が制御される。
【００３６】
なお、以上の説明では、発信側の電話番号が自電話機内の電話番号帳に登録されているか否かを、その判定基準とし、着信回数は、それぞれｋ回より少ないかｋ回以上かにより判定する場合について説明したが、この判定条件は、本実施形態に限定されるものではなく、自電話機内の電話帳に登録されている電話番号に対して、それぞれ個別に、あるいはある一定のグループ毎に発信先電話番号の判定条件を設定し、また着信回数として複数の判定値を設定し、それぞれに対して、例えば異なるコール回数ｎ，ｍ，ｌを設定して着信音やバイブレーションの鳴動制御を行わせることもできる。
【００３７】
図７は、本発明が適用される携帯電話機の他の例を示すブロック図であり、着信コール回数の代わりに着信コール時間を計測することにより制御するシステム構成となっている。
【００３８】
この携帯電話機では、図１に示す携帯電話機が有している着信コール回数のカウントを行うカウンタ部（１５）の代わりに着信コール時間を計測するタイマ部（８５）を保持する。着信音やバイブレーションの鳴動制御あるいは着信時同切断を行うタイミングは、メモリ部（１２）に着信コール時間と設定される。
【００３９】
従って、着信が発生すると、制御部（１１）は、このタイマ部（８５）により計測された着信コール時間とメモリ部（１２）に設定された着信コール時間によって、着信音やバイブレーションの鳴動制御あるいは着信自動切断等の制御を行う。
【００４０】
【発明の効果】
本発明では、着信音などのコール回数毎における対応（着信音の開始、停止や着信の自動切断など）をあらかじめ設定して実行させるので、着信コール回数毎における対応を細かく設定でき、不在時の周囲に対して迷惑な着信音や迷惑電話＆メールの不快な着信音などの問題を解消することが可能となる。
【００４１】
また、本発明では、発信側の電話番号毎における対応を設定できるので、特定の電話番号（電話帳に登録してある番号、固定電話の番号、非通知番号など）に対してのみ着信コール回数制御を実行することも可能となる。
【図面の簡単な説明】
【図１】本発明が適用される携帯電話機の一例を示すブロック図である。
【図２】本発明の第１の実施形態を示すフローチャートである。
【図３】本発明の第２の実施形態を示すフローチャートである。
【図４】本発明の第３の実施形態を示すフローチャートである。
【図５】本実施形態におけるメモリ部（１２）の記憶態様の一例を示す図である。
【図６】本発明の第４の実施形態を示すフローチャートである。
【図７】本発明が適用される携帯電話機の他の例を示すブロック図である。
【符号の説明】
１１  制御部
１２  メモリ部
１３  アンテナ部
１４  無線部
１５  カウンタ部
１６  音源部
１７  スピーカ部
１８  バイブレーション部
８５  タイマ部
【図１】
2005006087.tif 000003
【図２】
2005006087.tif 000004
【図３】
2005006087.tif 000005
【図４】
2005006087.tif 000006
【図５】
2005006087.tif 000007
【図６】
2005006087.tif 000008
【図７】
2005006087.tif 000009